(57)【要約】【課題】  電波によって制御回路装置を誤動作させる不正行為を確実に防止することができるようにした遊技機を提供する。【解決手段】  筺体３の前面側にマグネシウム合金で成形された上扉５及び下扉６を回動自在に設け、上扉５及び下扉６で筺体３の上部開口３１ａ及び下部開口３１ｂを閉塞する。マグネシウム合金は電磁波シールド性を有しているため、スロットマシン２の前方から不正な電波が放射された場合、その電波は上扉５及び下扉６によって遮断される。これにより筺体３の内部に収容されている各種装置や制御回路装置３７の電波による誤作動を防止することができる。【選択図】        図２
2005087435.tif 000002
【特許請求の範囲】
【請求項１】
遊技の際に作動される各種装置と、これら各種装置を作動制御するための制御回路装置とを収容する筺体と、この筺体に設けられた開口を閉塞する扉とを備えた遊技機において、前記筺体及び扉のうち、少なくとも扉がマグネシウム合金からなることを特徴とする遊技機。
【発明の詳細な説明】
【技術分野】
【０００１】
本発明は、パチンコ店等の遊技場に設置して使用される遊技機に関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機は、その筺体内部に、遊技媒体の供給に基づいて作動させるランプ装置や音声発生装置などの各種装置及びこれら各種装置を制御させるために対応させた制御回路装置を備えており、遊技者が遊技を行う際にこれらを適宜作動させることによって遊技を興趣に溢れたものとしている。また、上記各種装置及び制御回路装置は、遊技者が見たり、あるいは直接触れたりすることができないように遊技機の外観を構成している筺体、及び筺体の開口を閉塞する扉によって遊技機内に閉じ込められている。
【発明の開示】
【発明が解決しようとする課題】
【０００３】
ところで、遊技機では、外観的高級感を引き出し、さらに表面硬度を高めるために、扉にクロムメッキなどの表面処理が施されている。しかし、表面処理に用いられるメッキ塗料は導電性を有しているため、市販の無線機、それを改造したもの、あるいは携帯電話などによって遊技機の外側から遊技機に向けて不正な電波が発射された場合には、遊技機内に電波ノイズを発生させてしまい、この電波ノイズによって、上記各種装置や制御回路装置が誤動作させられるといった問題があった。
【０００４】
扉はプラスチックなどの電波を遮断することができない絶縁体に近い素材によって成形されているため、上述したような電波による不正行為の防止策としては、扉の裏側に導電性の塗料を塗布したり、あるいはアルミ箔などの導電性の金属箔を貼り付けて、これら導電体を接地するといった策が講じられている。
【０００５】
しかしながら、扉の裏側に導電体を設けてアースをとったり、メッキ塗料による表面処理が行われたりすることによって部品点数や作業工程が増えてしまい、これらが製作コストや製作にかかる時間の増加につながっていた。
【０００６】
本発明は、上記課題を解決するためになされたものであり、部品点数を増やすことなく、且つ遊技機の外観的高級感や表面硬度を損ねることなく、電波によって遊技の際に作動される各種装置や、これら各種装置を作動制御する制御回路装置を誤動作させる不正行為を確実に防止することができるようにした遊技機を提供することを目的とする。
【課題を解決するための手段】
【０００７】
上記目的を達成するために、本発明の遊技機は、遊技の際に作動される各種装置と、これら各種装置を作動制御するための制御回路装置とを収容する筺体と、この筺体に設けられた開口を閉塞する扉とを備えたものであり、前記筺体及び扉のうち、少なくとも扉がマグネシウム合金からなることを特徴とする。
【発明の効果】
【０００８】
本発明の遊技機によれば、筺体及び扉のうち少なくとも扉がマグネシウム合金からなるので、部品点数を増大させずに遊技機の外部から放射される電波を遮断することができ、遊技の際に作動される各種装置や制御回路装置を誤動作させる不正行為を確実に防ぐことができる。また、マグネシウム合金の素材を生かして遊技機の外観的高級感を高めることができる。また、遊技機の表面硬度を高めることができ、傷を付きにくくすることができる。したがって、電波による不正行為を防止するためだけに使用される装置を設ける必要がなくなり、さらにメッキ塗装を施す必要もなくなるため、遊技機の製作に費やされるコストや時間を大きく削減することができる。
【発明を実施するための最良の形態】
【０００９】
図１及び図２に示すように、スロットマシン２の外観は大別して筺体３と前扉４とから構成されている。前扉４は筺体２の前面に設けられており、この前扉４は上扉５と下扉６とから構成されている。上扉５は筺体３に回動自在かつロック可能に設けられている扉であり、その前面上部には遊技中の演出で用いられるランプ７やスピーカ８が設けられている。上扉５には回動軸９が設けられている。この回動軸９は筺体３に設けられた軸受け１０によって回動自在に軸支されている。
【００１０】
上扉５には表示窓１１が設けられおり、表示窓１１を通し、筐体３内に設置された第１リール１２，第２リール１３，第３リール１４の図柄を観察することができる。第１〜第３リール１２〜１４の外周には様々な図柄が一定ピッチで配列され、リールが停止した状態では表示窓１１を通して１リール当たり３個の図柄が観察される。これにより、各リールの図柄を一個ずつ組み合わせた直線状の入賞ラインが横３本斜め２本の合計５本が設定される。メダル投入口１５からはゲームの開始に先立って遊技者によりメダルが投入される。１枚のメダルを投入したときには中央横一本の入賞ラインが有効化され、２枚では横３本、３枚ではさらに斜め２本を加えた５本の入賞ラインが有効化される。
【００１１】
上扉５の背面にはＬＣＤパネル１６及び発光ダイオードを含む表示装置１７が組み付けられており、ＬＣＤパネル１６は上扉５の前面に露呈される。このＬＣＤパネル１６は、ゲーム時に演出用の画像や動画を表示させることによる演出等を行うために設けられており、リール始動用のスタートレバー１８を操作したときに、演出用の画像や動画が表示される。
【００１２】
上扉５と同様に、下扉６は筺体に回動自在かつロック可能に設けられている扉である。下扉６には回動軸１９が設けられており、この回動軸１９は筺体３に設けられた軸受け２０によって回動自在に軸支されている。下扉６にはストップボタン２１〜２３が設けられている。ストップボタン２１〜２３の上方の操作パネル２４には、メダルを貯留（クレジット）した状態でゲームを行うときに操作される１枚ベットボタン２５、ＭＡＸベットボタン２６、精算ボタン２７などの各種の操作ボタンが設けられている。これらの操作ボタンの機能はいずれも周知であるのでその詳細については省略する。下扉６の下部にメダル受け皿２８が設けられており、ゲームで当たりが得られたときに払い出し口２９から払い出される配当メダルを貯留する。
【００１３】
下扉６の背面には操作検知装置３０が取り付けられている。操作検知装置３０には、メダル投入口１５から投入されたメダルの検知信号や、スタートレバー１８，ストップボタン２１〜２３などの入力操作部からの操作信号を得るスイッチ，センサ類及び、信号処理用のＩＣを含む回路部品が実装されている。
【００１４】
筺体３の前面には開口部３１が設けられている。この開口部３１は上部開口３１ａと下部開口３１ｂとから構成されている。筺体３は木製であり、底板３２、側板３３、天板３４及び裏板から形成されている。筺体３の高さ方向略中央部には、二つの側板３３の間に水平方向に中板３５が設けられている。これにより上部開口３１ａは、側板３３、天板３４、及び中板３５によって形成され、下部開口３１ｂは、底板３２、側板３３、及び中板３５によって形成される。
【００１５】
中板３５にはリールユニット３６が載置されており、このリールユニット３６の後部にはスロットマシン２の作動を制御する制御回路装置３７が組み付けられている。リールユニット３６は、第１〜第３リール１２〜１４を各ステッピングモータとともにユニット化したもので、各ステッピングモータの駆動及び停止制御用のＩＣを実装したモータ駆動基板や、各リールの回転中にリールの基準位置に設けられた信号片の通過を検知するフォトセンサも組み込まれている。リールユニット３６、及び制御回路装置３７は、上扉５によって上部開口３１ａを閉塞することにより筺体３内に収納される。底板３２にはホッパー装置３８と電源装置３９が載置されている。ホッパー装置３８はスロットマシン２で遊技を行って入賞を得た場合に作動し、入賞に対するメダルをメダル受け皿２８に払い出す。
【００１６】
上述したように、上扉５、下扉６、及び筺体３には、表示装置１７、操作検知装置３０、リールユニット３６、ホッパー装置３８、電源装置３９など、この他にも様々な遊技の際に作動される各種装置が組み込まれているが、これら各種装置は、コード（不図示）を介して制御回路装置３７に接続されており、制御回路装置３７によって作動制御されている。
【００１７】
開口部３１を閉塞して上述した各種装置を筺体３内部に閉じ込める上扉５と下扉６は、マグネシウム合金によって成形されている。上扉５と下扉６は、例えばチクソモールディング成形法により成形されている。このチクソモールディング成形法は、米国のダウ・ケミカル（ＤｏｗＣｈｅｍｉｃａｌ）社によって開発された成形法であり、例えば、合金スラリーを固液共存温度にて射出成形する方法として知られている方法である。また、マグネシウム合金を用いて成形品を成形する方法としては、ダイカスト等の成形方法を用いても良い。勿論、分割した成形品を工業用接着剤やビスなどを用いて組み立てるようにしても良い。
【００１８】
マグネシウム合金は、３０〜２００ＭＨｚの帯域で９０〜１００ｄＢの安定したシールド効果を発揮する特性を有している。また、マグネシウムの再生に要するエネルギーは初期材料製造時の５％程度であることから、マグネシウム合金はリサイクル性に優れた特性を有している。さらにマグネシウム合金は、加工硬化率が高く、衝撃に強いといった特性も有している。
【００１９】
以上のように、上扉５及び下扉６をマグネシウム合金で成形することにより、スロットマシン２の前方から不正な電波が放射された場合、その電波は上扉５及び下扉６によって遮断される。これにより筺体３内の各種装置や制御回路装置３７の電波による誤作動を防止することができる。
また、上扉５及び下扉６をマグネシウム合金で成形することにより、マテリアルリサイクルを何度行なっても劣化しなくなり、繰り返し使用することが可能となる。さらに、金属であることから、スロットマシン２の外観的高級感を高めることができる。また、上扉５及び下扉６の表面硬度も高められる。
【００２０】
なお、上記実施形態では、上扉５と下扉６をマグネシウム合金で成形したが、筺体３もマグネシウム合金によって成形しても良い。この場合、仮にスロットマシン２の側方や上方から電波が放射されたとしても、その電波を筺体３で遮断することができる。
【００２１】
上記実施形態ではスロットマシンを例に挙げて説明したが、本発明は、スロットマシンに限らず、パチンコ機等の全ての遊技機に対して適用することが可能である。
【図面の簡単な説明】
【００２２】
【図１】本発明を採用したスロットマシンの外観を示す概略斜視図である。
【図２】上扉、下扉、及び筺体を示す概略斜視図である。
【符号の説明】
【００２３】
２  スロットマシン（遊技機）
３  筺体
４  前扉
５  上扉
６  下扉
３１  開口部
３１ａ  上部開口
３１ｂ  下部開口
３７  制御回路装置
【図１】
2005087435.tif 000003
【図２】
2005087435.tif 000004